(57)【要約】【課題】手を乾燥させた後に、効率よく手の肌に水分を補充させると共に、また、皮膚に抗酸化作用を与えながら、手及び周囲環境に抗菌性を持たせることの出来る手乾燥装置を提供する。【解決手段】手を出入口から挿抜できる手乾燥処理室１０において、第１のセンサー８からの信号により制御手段が手の挿入を検出すると、送風装置１を駆動して高速気流を発生させ、濡れた手に付着した水分を高速気流吹出口３から吹出した高速気流により吹き飛ばして乾燥させる。また、第２のセンサー９からの信号により制御部が手の抜き出しを検知すると、ミスト発生デバイス６から白金ナノ粒子含有帯電ミストを発生させ、分岐口の開閉弁を開放させることでミストを含む気流をミスト吹出し口７から低速度で吹出させる。これにより、乾燥した手に白金ナノ粒子を含むミストを供給するので、皮膚に抗酸化作用を与えながら、手及び周囲環境に抗菌性を持たせることが出来る。【選択図】図１
2011130839.tif 000002
【特許請求の範囲】
【請求項１】
手の挿抜が可能な出入口を有する断面略Ｕ字状の凹部である手乾燥処理室を形成し、底部と互いに対向する一対の側壁とを有する本体と、
この本体内に形成され、風を送出する送風機と、
前記本体内に形成され、前記送風機からの風が通過する風洞と、
前記本体の側壁の前記出入口側の内側の面の少なくとも一方に形成され、前記送風機から前記風洞を介して送出された風を吹き出す手乾燥用の高速気流吹出口と、
前記風洞から分岐して形成されたミスト吹出用風洞と、
このミスト吹出用風洞に設けられ、ミストを負に帯電して発生するミスト発生装置と、
前記本体の側壁の前記高速気流吹出口と異なる位置に形成され、前記送風機から前記風洞及び前記ミスト吹出用風洞を介して到来した風と前記ミスト発生装置によって負に帯電されたミストとを混合してミストを含む風を送出するミスト吹出口と、を備えたことを特徴とする手乾燥装置。
【請求項２】
前記ミスト吹出用風洞と前記ミスト吹出口との間に設けられ、前記ミスト吹出用風洞を通過する風の風量を変更する開閉弁と、
前記ミスト吹出口から吹き出す風の速度が前記高速気流吹出口から吹き出す風の速度よりも遅くなるように前記開閉弁を制御する制御部と、を備えたことを特徴とする請求項１に記載の手乾燥装置。
【請求項３】
前記手乾燥処理室内に設けられ、手の挿入を検出するセンサーを備え、
前記制御部は前記センサーの出力に基づいて前記開閉弁と前記送風機を制御することを特徴とする請求項１または請求項２に記載の手乾燥装置。
【請求項４】
前記センサーは、第１のセンサーと、この第１のセンサーよりも前記手乾燥処理室の奥側に配置された第２のセンサーとを備え、
前記制御部は、前記第１のセンサーが手の挿入を検知した時には、前記送風機を駆動して前記風洞を介して前記高速気流吹出口から手乾燥用の高速の風を吹き出させ、
前記第２のセンサーが手抜きを検知した時には、前記送風機を制御して前記高速気流吹出口からの高速風の吹き出しを継続させるとともに、さらに前記開閉弁を所定の開度に制御して前記ミスト吹出口から比較的低速の風を吹き出させることを特徴とする請求項３に記載の手乾燥装置。
【請求項５】
前記制御部は、ミスト放出風速が５ｍ／ｓ以下となるように前記開閉弁の開度を制御することを特徴とする請求項２〜４のいずれかに記載の手乾燥装置。
【請求項６】
手の挿抜が可能な出入口を有する断面略Ｕ字状の凹部である手乾燥処理室を形成し、底部と互いに対向する一対の側壁とを有する本体と、
この本体内に形成され、風を送出する第１の送風機と、
前記本体内に形成され、前記第１の送風機からの風が通過する風洞と、
前記本体の側壁の前記出入口側の内側の面の少なくとも一方に形成され、前記第１の送風機から前記風洞を介して送出された風を吹き出す手乾燥用の高速気流吹出口と、
前記本体の側壁内に形成され、前記風洞と分離されたミスト吹出用風洞と、
このミスト吹出用風洞に風を送出する第２の送風機と、
前記ミスト吹出用風洞に設けられ、ミストを負に帯電して発生するミスト発生装置と、
前記本体の側壁の前記高速気流吹出口と異なる位置に形成され、前記第２の送風機から前記ミスト吹出用風洞を介して到来した風と前記ミスト発生装置によって負に帯電されたミストとを混合してミストを含む風を送出するミスト吹出口と、を備えたことを特徴とする手乾燥装置。
【請求項７】
前記ミスト吹出用風洞と前記ミスト吹出口との間に設けられ、前記ミスト吹出用風洞を通過する風の風量を制御して前記ミスト吹出口から吹き出す風の速度が前記高速気流吹出口から吹き出す風の速度よりも遅くなるように制御する制御部を備えたことを特徴とする請求項６に記載の手乾燥装置。
【請求項８】
前記手乾燥処理室内に設けられ、手の挿入を検出するセンサーを備え、
前記制御部は前記センサーの出力に基づいて前記第１の送風機と前記第２の送風機を制御することを特徴とする請求項６または請求項７に記載の手乾燥装置。
【請求項９】
前記センサーは、第１のセンサーと、この第１のセンサーよりも前記手乾燥処理室の奥側に配置された第２のセンサーとを備え、
前記制御部は、前記第１のセンサーが手の挿入を検知した時には、前記第１の送風機を駆動して前記風洞を介して前記高速気流吹出口から手乾燥用の高速の風を吹き出させ、
前記第２のセンサーが手抜きを検知した時には、前記第２の送風機を制御して前記ミスト吹出口から比較的低速の風を吹き出させることを特徴とする請求項８に記載の手乾燥装置。
【請求項１０】
前記制御部は、ミスト放出風速が５ｍ／ｓ以下となるように前記開閉弁の開度を制御することを特徴とする請求項７〜９のいずれかに記載の手乾燥装置。
【請求項１１】
前記ミスト吹出口は前記高速気流吹出口よりも前記出入口側に配置されたことを特徴とする請求項１〜１０のいずれかに記載の手乾燥装置。
【請求項１２】
前記高速気流吹出口からの風の吹き出し方向と、前記ミスト吹出口からの風の吹き出し方向は異なることを特徴とする請求項１〜１１のいずれかに記載の手乾燥装置。
【請求項１３】
前記高速気流吹出口からの風の吹き出し方向は、前記手乾燥処理室の奥側であり、前記ミスト吹出口からの風の吹き出し方向は前記手乾燥処理室の手前側であることを特徴とする請求項１２に記載の手乾燥装置。
【請求項１４】
前記ミスト発生装置は、白金微粒子、天然、合成抗酸化剤などを前記ミストと一緒に放出することを特徴とする請求項１〜１３のいずれかに記載の手乾燥装置。
【発明の詳細な説明】
【技術分野】
【０００１】
本発明は、手乾燥装置に関するものである。
【背景技術】
【０００２】
洗浄後の濡れた手を高速空気流の噴射により乾燥させる手乾燥装置があり、中に手を挿入して乾燥させながら乾燥領域に霧化ミストを放出し、手の肌を保湿すると同時に、手の殺菌処理を施すハンドドライヤーが提案されている（例えば特許文献１参照）。
【０００３】
また、高速空気流の噴射により手差込口から差し込まれた洗浄後の濡れた手を乾燥させながら高速空気流の空気中の雑菌を紫外線によって殺菌すると同時に、オゾンを生成し、このオゾンによって手の殺菌を行なうハンドドライヤーが提案されている（例えば特許文献２参照）。
【先行技術文献】
【特許文献】
【０００４】
【特許文献１】特開２００８−２３７６０９号公報（第４頁〜第７頁、図５）
【特許文献２】特開２００５−１７７４１５号公報（第１頁〜第３頁、図１）
【発明の概要】
【発明が解決しようとする課題】
【０００５】
しかしながら、上記の特許文献１に記載の従来の手乾燥装置では、霧化ミストは手乾燥用高速気流と一緒に手に当てるため、高速気流による慣性力は大きくミストは飛散して、手の表面に付着しにくい問題がある。また、霧化ミストは乾燥気流に混ぜ込まれた状態で運ばれることで、水分が乾燥気流によって蒸発される問題があった。
【０００６】
また、上記特許文献２に記載の従来の手乾燥装置では、紫外線照射によって空気から発生したオゾンが空気流と共に直接手に当たるので、手の皮膚がオゾンによって酸化され、皮膚が傷ついたり皮膚の老化が進行したりするという問題があった。
【０００７】
本発明は、上記のような課題を解決するためになされたものであり、手を乾燥させた後に、効率よく手の肌に水分を補充させる手乾燥装置を提供することを第１の目的とする。
また、皮膚に抗酸化作用を与えながら、手及び周囲環境に抗菌性を持たせることの出来る手乾燥装置を提供することを第２の目的とする。
【課題を解決するための手段】
【０００８】
この発明に係る手乾燥装置は、手の挿抜が可能な出入口を有する断面略Ｕ字状の凹部である手乾燥処理室を形成し、底部と互いに対向する一対の側壁とを有する本体と、この本体内に形成され、風を送出する送風機と、本体内に形成され、送風機からの風が通過する風洞と、本体の側壁の出入口側の内側の面の少なくとも一方に形成され、送風機から風洞を介して送出された風を吹き出す手乾燥用の高速気流吹出口と、風洞から分岐して形成されたミスト吹出用風洞と、このミスト吹出用風洞に設けられ、ミストを負に帯電して発生するミスト発生装置と、本体の側壁の高速気流吹出口と異なる位置に形成され、送風機から風洞及びミスト吹出用風洞を介して到来した風とミスト発生装置によって負に帯電されたミストとを混合してミストを含む風を送出するミスト吹出口と、を備えたものである。
【発明の効果】
【０００９】
本発明によれば、高速気流吹出口から吹き出した風が手乾燥処理室に挿入された手に当たる位置と、ミスト吹出口から吹き出した風が手乾燥処理室内の手に当たる位置が異なるので、水に濡れた手を手乾燥装置に挿入して高速気流吹出し口から吹き出す風を手に当てることによって手に付着した水を吹飛ばし手を乾燥させた後、手を手乾燥処理室から抜き出す時に、高速気流吹出し口とは異なる位置（入口側または外側）に配置されたミスト吹出口から吹き出すミストを含む風を手に当てることで水分が失われた皮膚に対して負に帯電されたミストを与えることができ、肌水分の補充が可能となる。
【図面の簡単な説明】
【００１０】
【図１】本発明の実施の形態１における手乾燥装置の構成を示す縦断面図である。
【図２】手の肌水分量と乾燥用高速気流風速の関係図である。
【図３】本発明の実施形態の例の手乾燥装置ミスト発生デバイスの模式図である。
【図４】本発明の実施の形態１における手乾燥装置の制御システムを示すブロック図である。
【図５】本発明の実施の形態１における制御部の動作を示すフローチャート図である。
【図６】本発明の実施の形態２における手乾燥装置の構成を示す縦断面図である。
【図７】本発明の実施の形態２における手乾燥装置の制御システムを示すブロック図である。
【図８】本発明の実施の形態２における制御部の動作を示すフローチャート図である。
【図９】本発明の実施の形態１における手乾燥装置の外観を示す斜視図である。
【発明を実施するための形態】
【００１１】
実施の形態１．
以下、本発明の実施の形態１について説明する。
図９は、本発明の実施の形態１における手乾燥装置の外観を示す斜視図であり、同時に風の向きが白抜きの矢印で示されている。
また、図１は本発明の実施の形態１における手乾燥装置の構成を示す縦断面図である。
図１及び図９に示すように、手乾燥装置１００は手の挿抜が可能な出入口を有する断面略Ｕ字状の凹部（以下、手乾燥処理室と呼ぶ）１０を形成する一対の側壁２０と底部３０とを有する手乾燥装置本体４０から構成されており、底部３０内には、風（以下、気流あるいは空気流と呼ぶ場合もある）を送出する送風機１が設けられている。また、底部３０内と側壁２０内には送風機１によって送出された風が通過する風洞２が形成されている。また、奥（壁側）と手前に設けられた一対の側壁２０の出入口１０ａ側の互いに対向する面の少なくとも一方には、送風機１から風洞２を介して送出された風を吹き出す手乾燥用の高速気流吹出口３が形成されている。また、風洞２からミスト吹出用風洞４が分岐している。このミスト吹出用風洞４にはここを通過する風量を制御する開閉弁５が設けられている。なお、ミスト吹出用風洞４は風洞２の任意の部位から分岐可能であるが、この距離が長い程風の抵抗損が大きくなり、風の速度を低下させることが可能である。このミスト吹出用風洞４には、ミストを発生するミスト発生デバイス６が設けられており、このミスト発生デバイス６から発生したミストは高速気流吹出し口３よりも入口側（または外側）に配置されたミスト吹出口７から吹き出すことで、ミストを含む風が手乾燥処理室１０内に挿入された手に当たる。なお、手の挿抜を検知するセンサーとして、第１のセンサー８が手乾燥処理室１０の入口側に設けられ、第２のセンサー９が手乾燥処理室１０の奥（底部３０側）に設けられている。
【００１２】
なお、ミスト発生デバイス６とミスト吹出口７との距離が長いほど、ミスト吹出用風洞４の壁面に付着するミスト量が増えるため、その分効率が悪くなるため、ミスト発生デバイス６はミスト吹出口７の近傍に設けるのが良い。
なお、送風機１の設置位置は底部３０に限る必要はなく、風洞２に風を送れる位置ならば、どこに設置しても良い。どこに設置するかは、風を両側から吹き出すか否か、両側から吹出す風の量の差あるいは双方の風洞の太さの差などを基に決めることができる。例えば、双方の高速気流吹出口３から均一な風量を確保したい場合には、底部３０に送風機１を設ける。
【００１３】
高速気流吹出し口３からの高速気流は手乾燥処理室１０に挿入した濡れた手に対し、手の指先方向に斜めに向いて風を吹出す構造となっている。ミスト吹出し口７からのミストは高速気流に対して斜め反対側に吹出すような構造となっている。乾燥用高速気流は手の水分を補給するためのミスト気流に影響しないように調整し、手を乾燥した後の肌水分補給効果を高める。
【００１４】
手乾燥用高速気流を加熱する必要がある場合、加熱用のヒーターを風洞２に設置し、加熱された乾燥空気がミスト吹出し用風洞４に入らないようにヒーターを高速気流吹出し口に近いところに配置する。
【００１５】
図２は手乾燥用気流の風速による肌水分量の関係を示すグラフである。
【００１６】
手乾燥用の高速気流は速ければ速いほど手の肌の水分が失われ、肌は乾燥し易くなる。ただし一定風速以上になると、乾燥気流の湿度に影響され、肌はその湿度以下乾燥にならない。せっかく肌水分補充のためのミストを吹出しても高速気流に吹飛ばされ、保湿の効果が弱くなってしまう。発生したミストを帯電させると、ミスト粒子はクーロンの力によって手に付着するが、手に届くまで高速気流の力、即ち慣性力で運んでくる。慣性力（Ｆ＝ｍａ）がクーロン力（Ｆ＝ｋ（ｑ１ｑ２／ｒ２））より大きいとミストは高速気流に流され、小さいとクーロン力により肌に吸着、定着する。
【００１７】
手乾燥用高速気流吹出し口３からの気流は１０ｍ／ｓ以上、強運転で２０ｍ／ｓ以上も出ている。これに対し、ミスト吹出し用風洞４から出たミスト気流は風速を５ｍ／ｓ以下に抑え、乾燥気流と別のミスト吹出し口７から出すことで、手の肌へのミスト吸着性能を高める。
【００１８】
図３はミスト発生デバイス６の構成を示す。ミスト発生電極６４は銅、りん青銅、鉄、ステンレス、チタンなどの金属及び前記金属の合金、白金、金、銀など貴金属のめっき品から構成されている。グランド６５は、前記金属及びその合金、めっき品で合成され、リング状に作られている。ミスト発生電極６４とグランド６５の間に５ｍｍ〜２０ｍｍ離れ、放電時活性酸素を出さないように−３〜−６ｋVのマイナス高電圧をかけ、最適な距離で設置する。
【００１９】
ミスト用液体を供給するため、ミスト用タンク６２を設置する。液体はミスト用タンク注入口６１、ミスト用タンク６２とミスト用液体供給口６３から構成されている。ミスト発生デバイス６のミスト発生量は０．０２ｃｃ〜０．０８ｃｃ／時間となっている。ミスト発生電極６４はミストに形成する液体を保持できる。その保持容量は単位時間ミスト発生量の約１０倍となり、一度外部から液体を供給すると約１０ｈほどミストを放出することが出来る。こうすることによって、ミスト発生のむらがなく、いつも安定して一定量のミストを放出し続ける。
【００２０】
ミスト発生電極６４を調整することで、ミスト発生デバイス６が発生したミストの平均粒径は２５μｍにしている。前記ミスト発生デバイス６の発生量では１〜６Ｅ＋１３／時間のミストが放出され、中心値をとると、１秒間に約１００億個の帯電ミストが放出される。
なお、電源６６はスイッチ付きであり、このスイッチ（図示せず）のオンオフによりミストの発生が制御される。
【００２１】
図４は本発明の実施形態における手乾燥装置の制御システムを示すブロック図である。図４に示すように、制御システムは制御部４１と、手の挿抜を検知し、制御部４１に検知信号を送る第１のセンサー８及び第２のセンサー９と、制御部４１の制御の下で動作し、送風機１を駆動する送風機駆動手段（モーター）４４と、制御部４１の制御の下で動作し、開閉弁５の開度を制御する開閉弁駆動手段（モーター）４５と、ミスト用電源スイッチ４６で構成される。
制御部４１はマイコンやＤＳＰなどによって構成される。また、第１のセンサー４２は、例えば、光センサーが用いられる。例えば、両側壁の一方に光を発射する光発射手段を設け、他方に受光装置を設け、受光装置が光を受光している間は信号を制御部４１へ出力し、受光がないときは信号を出力しない。制御部４１は第１のセンサー４２からの信号無しから信号有りへの変化があった時に手が挿入されたと判定し、信号有りから信号無しへの変化があった時に手が抜かれたと判定する。第２のセンサー４３も第１のセンサー４２と同様の素子を使用しており、制御部４１は第２のセンサー４３が出力した信号についても第１のセンサー４２の場合と同様に処理する。
【００２２】
次に、本実施の形態の動作について説明する。
利用者は手を凹部の奥まで挿入した後、そのままの状態で手を十分乾燥させた後に、手を抜き出すことで手の乾燥及びミストの定着が完了する。
従って、利用者は手を何度も出し入れするのではなく、１回の操作で処理を完了させることが前提条件となる。
図５は、本実施の形態における制御部４１の動作を示すフローチャート図である。
次に、本実施の形態における制御部４１の動作を図１、図４、及び図５を用いて説明する。
利用者が手乾燥装置１００の電源を入れると、制御部４１が起動される。制御部４１は初期処理（図示せず）の後、第１のセンサー８の出力（検知結果）を所定の周期で定期的に取得し（ステップＳ５０１）、取得した第１のセンサー８の出力の変化に基づき手乾燥処理室１０に濡れた手が挿入されたかどうかを判断する（ステップＳ５０２）。変化がなければ、制御部４１はステップＳ５０１〜Ｓ５０２の動作を繰り返す。濡れた手が手乾燥処理室１０に入ってくると、第１のセンサー８の出力が信号有りから無しに変化するので制御部４１は、この変化に基づいて手の挿入を検知する。制御部４１は、手の挿入を検知すると、送風機１を起動する（ステップＳ５０３）。これにより、高速気流吹出し口３から乾燥用の高速気流を吹出して、手に付いた水滴を吹き飛ばす。
次に、制御部４１は、第２のセンサー９の出力（検知結果）を所定の周期で定期的に取得し（ステップＳ５０４）、取得した第２のセンサー９の出力の変化に基づき手乾燥処理室１０に濡れた手が挿入されたかどうかを判断する（ステップＳ５０５）。変化がなければ、制御部４１はステップＳ５０４〜Ｓ５０５の動作を繰り返す。
利用者が手を更に手乾燥処理室１０の底に挿入して、高速気流吹出し口３を通過させると、第２のセンサー９がこれを検知して出力有りから出力無しに変わる。このとき、制御部４１はステップＳ５０４〜Ｓ５０５の動作を繰り返すのみであり、送風機１は引き続き動作を継続する。利用者はこの後、手が乾くまでの間、手を乾燥処理室１０内に挿入した状態を保持し、手が乾燥したと感じたら、手を乾燥処理室１０から抜き出す。この手の抜き出しにより、第２のセンサー９の出力が無しから有りに変化する。制御部４１はこの変化に基づき手の抜き出しを検知すると、ミスト発生デバイス６のミスト電源スイッチ４３をオンにして帯電ミストを発生させると同時に、開閉弁駆動手段４４を制御して開閉弁５を所定の開度だけ開放させる。これにより、０．１〜５ｍ／ｓの低速ミスト気流がミスト吹出し口７から吹出す。手乾燥処理室１０の側壁２０において、ミスト吹出し口７は高速気流吹出し口３よりも外側に形成されているので、ミスト吹出し気流により手の表面に付着したミストが手に定着する。
次に、制御部４１は、第１のセンサー８の出力（検知結果）を所定の周期で定期的に取得し（ステップＳ５０７）、取得した第１のセンサー８の出力の変化に基づき手乾燥処理室１０からミストが定着した手が抜き出されたかどうかを判断する（ステップＳ５０８）。変化がなければ、制御部４１はステップＳ５０７〜Ｓ５０８の動作を繰り返す。ミストが定着した手が手乾燥処理室１０から抜き出されると、第１のセンサー８の出力が無しから有りに変化するので制御部４１は、この変化に基づいて手の抜き出しを検知する。制御部４１は、手の抜き出しを検知すると、送風機駆動手段４２を制御して送風機１の駆動を停止させ、開閉弁駆動手段（モーター）４４を制御して開閉弁５を閉止させ、さらにミスト電源スイッチ４６をオフしてミスト発生デバイス６を停止させる（ステップＳ５０９）。この後、制御部４１はステップＳ５０１に戻り、上記と同様の動作を繰り返す。
【００２３】
本実施の形態によれば、高速気流吹出口から吹き出した風が手乾燥処理室に挿入された手に当たる位置と、ミスト吹出口から吹き出した風が手乾燥処理室内の手に当たる位置が異なるので、水に濡れた手を手乾燥装置に挿入して高速気流吹出し口から吹き出す風を手に当てることによって手に付着した水を吹飛ばし手を乾燥させた後、手を手乾燥処理室から抜き出す時に、高速気流吹出し口とは異なる位置（入口側または外側）に配置されたミスト吹出口から吹き出すミストを含む風を手に当てることで水分が失われた皮膚に対して負に帯電されたミストを与えることができ、肌水分の補充が可能となる。
【００２４】
実施の形態２．
実施の形態１では、ミスト吹出し用の空気流が風洞２に設けられた送風機からの風を利用する場合について説明したが、本実施の形態では、ミスト吹出し用の空気流を発生させる為の送風機を別に設ける場合について説明する。
図６は本実施の形態における手乾燥装置の構成を示す縦断面図である。図６において、図１と同符号は同一または相当部分である。送風機１ｂが追加され、開閉弁５が無い以外は図１と同じである。なお、送風機１ａは図１における送風機１と同じものである。
【００２５】
なお、ミスト吹出し用風洞４を両側壁に一つずつ設ける場合、両側壁内に手乾燥処理室の中心に対して線対称にミスト吹出し用風洞、ミスト吹出し用風洞、ミスト吹出し口、及び送風機をさらに追加設置する。
【００２６】
次に動作を説明する。
図７は、本実施の形態２における手乾燥装置の制御システムを示すブロック図である。図７において、図１と同符号は同一又は相当部分である。送風機１ｂと、送風機駆動手段４２ｂが追加され、開閉弁５と開閉弁駆動手段４３が無い以外は図１と同じである。なお、送風機１ａと送風機駆動手段４２ａはそれぞれ図１における送風機１、送風機駆動手段４２ａと同じものである。
また、図８は、本実施の形態２における制御部４１の動作を示すフローチャート図である。
次に、本実施の形態における制御部４１の動作を図６〜図８を用いて説明する。
ステップＳ５０１〜Ｓ５０５の動作は図５のそれと同様である。ステップＳ５０５において、第２のセンサー９が手抜き出しを検知した場合には、制御手段４１はミスト電源スイッチ４３をオンさせると共に、送風機駆動手段４２ｂを制御して送風機１ｂを駆動させる（ステップＳ８０１）。これにより、０．１〜５ｍ／ｓの低速ミスト気流がミスト吹出し口７から吹出す。手乾燥処理室１０の側壁２０において、ミスト吹出し口７は高速気流吹出し口３よりも外側に形成されているので、ミスト吹出し気流により手の表面に付着したミストが手に定着する。
この後、ステップＳ５０７〜Ｓ５０８の動作は図５のそれと同様である。
さらにユーザーが手を抜き出すと、第１のセンサー８の出力が信号無しから信号有りに変化する。制御部４１はステップＳ５０５において、第１のセンサー８の出力の変化に基づいて手の抜き出しを検知すると、送風機駆動手段４２ａ、４２ｂを制御して送風機１ａ、１ｂを駆動させると共に、ミスト電源スイッチ４３をオフしてミスト発生デバイスを停止させる（ステップＳ８０２）。この後、制御部４１はステップＳ５０１に戻り、上記と同様の動作を繰り返す。
【００２７】
本実施の形態によれば、ミスト吹出し用風洞４に送風機１を設置することで、風洞２とのつながりがなく、ミスト吹き出し用風洞も必要がなく、完全に別構造で設置することも出来る。
【００２８】
運転モードを変えることで、手乾燥機能を使用せず、ミスト発生機能だけ運転することも出来る。
【００２９】
実施の形態３．
本実施の形態では、前記ミスト用タンクに白金ナノコロイド溶液、コラーゲン、ヒアルロン酸などの美容液を注入して、発生したミストを更に機能性を高める。
【００３０】
本実施の形態によれば、白金ナノ粒子を放散することによって、ミストと一緒に手の肌に付着して、肌水分を高めるだけでなく、白金ナノ粒子による皮膚の抗酸化が出来る。また、白金ナノ粒子は環境中において変質がなく、安定した抗菌性を持っている。白金ナノ粒子を放出し、手乾燥機の手乾燥処理室１０の内壁や、周囲環境の表面、壁などに付着するとそこで抗菌性が果たせる。更に放出された白金ナノ粒子がどんどん沈着すると抗菌性がより強くなることが期待できる。
【符号の説明】
【００３１】
１、１ａ、１ｂ  送風機、２  風洞、３  高速気流吹出し口、４  ミスト吹出し用風洞、５  開閉弁、６  ミスト発生デバイス、６１  ミスト用液注入口、６２  ミスト用タンク、６３  ミスト用液体供給口、６４  ミスト発生電極、６５  グランド、６６  高圧電源、６７  ミスト吹出し口、８  第１のセンサー、９  第２のセンサー、１０  手乾燥処理室、１０ａ  出入口、２０  側壁、３０  底部、４０  本体、４１  制御部、４２、４２ａ、４２ｂ  送風機駆動手段、４３  ミスト電源スイッチ、４４  開閉弁駆動手段、１００  手乾燥装置。
【図１】
2011130839.tif 000003
【図２】
2011130839.tif 000004
【図３】
2011130839.tif 000005
【図４】
2011130839.tif 000006
【図５】
2011130839.tif 000007
【図６】
2011130839.tif 000008
【図７】
2011130839.tif 000009
【図８】
2011130839.tif 000010
【図９】
2011130839.tif 000011